(57)【要約】（課題）被接地回路を接地する操作及び被接地回路の接地を解除する操作に関するフェールセーフ機能を提供する。（解決手段）被接地回路に接続された第１のリレーの第１の接点と、第１の接点とアースとの間に接続され、第１の接点が閉成された際に第１の接点に流れる電流を抑制する抵抗と、抵抗と並列に接続された第２のリレーの第２の接点と、第２の接点が開成しているときに、閉成している第１の接点の開成を抑止する一方、第２の接点が閉成しているときに、開成している第１の接点の閉成を抑止する連動制御手段とを備える。
2019031415.tif 000002
【特許請求の範囲】
【請求項１】
被接地回路に接続された第１のリレーの第１の接点と、
前記第１の接点とアースとの間に接続され、前記第１の接点が閉成された際に前記第１の接点に流れる電流を抑制する抵抗と、
前記抵抗と並列に接続された第２のリレーの第２の接点と、
前記第２の接点が開成しているときに、閉成している前記第１の接点の開成を抑止する一方、前記第２の接点が閉成しているときに、開成している前記第１の接点の閉成を抑止する連動制御手段と
を備えた接地回路。
【請求項２】
前記第１の接点は開閉状態を保持し、
前記第２の接点は開閉状態を保持し、
前記連動制御手段は、
前記第１の接点を閉成する、前記第１のリレーの第１の閉成部と、
前記第１の閉成部に直列に接続された、前記第１の接点を開成する、前記第１のリレーの第１の開成部と、
前記第２の接点と連動し、前記第２の接点が開成しているときには前記第１の開成部を短絡する一方、前記第２の接点が閉成しているときには前記第１の閉成部を短絡する、前記第２のリレーの第３の接点と
を更に備えた請求項１に記載の接地回路。
【請求項３】
前記連動制御手段は、
前記第２の接点を閉成する、前記第２のリレーの第２の閉成部と、
前記第２の接点を開成する、前記第２のリレーの第２の開成部と、
前記第１の閉成部と前記第１の開成部とが直列に接続された回路に対する電流の供給及び停止、前記第２の閉成部に対する電流の供給及び停止、並びに前記第２の開成部に対する電流の供給及び停止を行うリレー駆動手段と
を更に備えた請求項２に記載の接地回路。
【請求項４】
前記被接地回路は、端局にケーブルで接続され、前記ケーブルを介して前記端局から受信された制御信号に基づいて、前記第１の接点及び前記第２の接点の開閉が制御される請求項１乃至３の何れか１項に記載の接地回路。
【請求項５】
前記ケーブルを介して前記端局から給電される
請求項４に記載の接地回路。
【請求項６】
前記アースは、海水に対して接地された
請求項１乃至５のいずれか１項に記載の接地回路。
【請求項７】
前記第１のリレー及び前記第２のリレーは、真空リレー又はガス封入リレーである
請求項１乃至６のいずれか１項に記載の接地回路。
【請求項８】
被接地回路、及び
前記被接地回路に接続された、第１のリレーの第１の接点と、
前記第１の接点とアースとの間に接続され、前記第１の接点が閉成された際に前記第１の接点に流れる電流を抑制する抵抗と、
前記抵抗と並列に接続された、第２のリレーの第２の接点と、
前記第２の接点が開成しているときに、閉成している前記第１の接点の開成を抑止する一方、前記第２の接点が閉成しているときに、開成している前記第１の接点の閉成を抑止する連動制御手段と
を含む接地回路
を備えた電気装置。
【請求項９】
被接地回路に接続された、第１のリレーの第１の接点と、
前記第１の接点とアースとの間に接続され、前記第１の接点が閉成された際に前記第１の接点に流れる電流を抑制する抵抗と、
前記抵抗と並列に接続された、第２のリレーの第２の接点と
を備えた接地回路の接地制御方法であって、
前記第２の接点が開成しているときに、閉成している前記第１の接点の開成を抑止することと、前記第２の接点が閉成しているときに、開成している前記第１の接点の閉成を抑止することとを行う
接地制御方法。
【請求項１０】
被接地回路に接続された、第１のリレーの第１の接点と、
前記第１の接点とアースとの間に接続され、前記第１の接点が閉成された際に前記第１の接点に流れる電流を抑制する抵抗と、
前記抵抗と並列に接続された、第２のリレーの第２の接点と
を含む接地回路が備えたコンピュータに、
前記第２の接点が開成しているときに、閉成している前記第１の接点の開成を抑止する処理と、前記第２の接点が閉成しているときに、開成している前記第１の接点の閉成を抑止する処理と
を実行させる接地制御プログラムを格納した非一時的な記憶媒体。
【発明の詳細な説明】
【技術分野】
【０００１】
本発明は、アースに対する被接地回路の接地の有無を切り替える技術に関する。
【背景技術】
【０００２】
海底ケーブルシステムは、海底ケーブル（以下、「ケーブル」と称す）、海底中継器、海底分岐装置（以下、「ＢＵ」（Branching Unit）とも称す）、端局装置（以下、「端局」と称す）、給電装置等を含む。海底中継器は、減衰した信号を増幅する。ＢＵは、信号を複数の地点に向けて分岐する。端局は、各種データ信号の送受信を行う。給電装置は、海底機器に電力を供給する。尚、給電装置は、数ｋＶを超える高電圧で電力を供給することがある。又、ＢＵは、ケーブルの地絡障害や障害修理等に対応するために、海底機器への給電経路の切り替え機能を有することがある。【０００３】
例えば、ＢＵには、端局Ａから正極の電圧が給電され、端局Ｂから負極の電圧が給電される。又、ＢＵには、端局Ｃから負極の電圧が給電される。給電経路が切り替えられる際に、ＢＵは、ＢＵの一部回路を海水接地（以下、「ＳＥ」（Sea Earth）とも称す）に接地したり、ＢＵの一部回路のＳＥへの接地を解除したりする。【０００４】
給電経路の切り替え機能を有する海底分岐装置の一例が、特許文献１に開示されている。特許文献１の給電路切替回路では、給電電流により給電路が切り替えられる。特許文献１の給電路切替回路は、第１のリレーと、第２のリレーと、第３のリレーと、抵抗Ｒ１とを含む。第１のリレー、第２のリレー、第３のリレーは順に、リレーコイルＲＬ１１、ＲＬ１２、ＲＬ１３と、リレースイッチ（リレーの接点）ｒｌ１１、ｒｌ１２、ｒｌ１３とを含む。リレーコイルＲＬ１１、リレーコイルＲＬ１２、リレーコイルＲＬ１３は順に、ケーブル端４１とケーブル端４２との間に直列に接続される。リレースイッチｒｌ１１は、リレーコイルＲＬ１１に第１の所定電流が流れたときに開成することにより（ブレーク接点）、ケーブル端４３とケーブル端４１及びケーブル端４２間の回路とを切り離す。リレースイッチｒｌ１２は、リレーコイルＲＬ１２に第１の所定電流を超える第２の所定電流が流れたときに閉成することにより（メーク接点）、ケーブル端４３を抵抗Ｒ１を介してアースに接続する。リレースイッチｒｌ１３は、リレーコイルＲＬ１３に第２の所定電流を超える第３の所定電流が流れたときに閉成することにより（メーク接点）、抵抗Ｒ１を短絡する。【０００５】
上記構成の結果、特許文献１の給電路切替回路は、以下のように動作する。【０００６】
（１）まず、リレーコイルＲＬ１１に第１の所定電流を流すことにより、給電路切替回路は、リレースイッチｒｌ１１を開成する。その結果、給電路切替回路は、ケーブル端４３とケーブル端４１及びケーブル端４２間の回路とを切り離す。【０００７】
（２）次に、リレーコイルＲＬ１２に第１の所定電流を超える第２の所定電流を流すことにより、給電路切替回路は、リレースイッチｒｌ１２を閉成する。その結果、給電路切替回路は、ケーブル端４３を抵抗Ｒ１を介してアースに接続することにより、ケーブル端４３に接続されたケーブルの蓄積電荷を抵抗Ｒ１を介して徐々に放電させる。【０００８】
（３）次に、リレーコイルＲＬ１３に第２の所定電流を超える第３の所定電流を流すことにより、給電路切替回路は、リレースイッチｒｌ１３を閉成する。その結果、給電路切替回路は、ケーブル端４３を直接アースに接続することにより、ケーブル端４３のケーブルに充電された電荷を完全に放電する。【０００９】
つまり、特許文献１の給電路切替回路は、ケーブル端４３をアースに接続した際のリレースイッチｒｌ１２に流れる大電流を抵抗Ｒ１により抑制する。【００１０】
特許文献１の給電路切替回路は、上記（１）乃至（３）の動作の後に、ケーブル端４１及びケーブル端４２間の回路に流れる電流が低下すると、以下のように動作する。【００１１】
（４）まず、リレーコイルＲＬ１３に流れる電流が第３の所定電流未満になると、給電路切替回路は、リレースイッチｒｌ１３を開成する。【００１２】
（５）次に、リレーコイルＲＬ１２に流れる電流が第２の所定電流未満になると、給電路切替回路は、リレースイッチｒｌ１２を開成する。【００１３】
上記（５）の動作において、リレースイッチｒｌ１２においてアーク放電が発生する。ここで、抵抗Ｒ１の抵抗が大きいほど、リレースイッチｒｌ１２においてアーク放電が発生し易い。従って、特許文献１の給電路切替回路には、接地時のリレースイッチｒｌ１２に流れる大電流の抑制と、接地解除時のリレースイッチｒｌ１２におけるアーク放電の抑制とを両立できないという問題がある。【００１４】
接地時のリレーに流れる大電流の抑制と、接地解除時のリレーにおけるアーク放電の抑制とを両立する技術の一例が特許文献２に記載されている。特許文献２の接地回路は、第１のリレー接点とアースとの間に接続された抵抗と、当該抵抗に並列に接続された第２のリレー接点とを有する。そして、被接地装置（被接地回路）がアースに接地される際には、当該抵抗により第１のリレー接点に流れる電流が抑制される。また、被接地回路の接地が解除される際には、第２のリレー接点により当該抵抗が短絡される。第１のリレー接点の電圧が０Ｖになるので、第１のリレー接点が開成された瞬間に第１のリレー接点間に電位差が生じることがなく、第１のリレー接点にアーク放電は発生しない。従って、特許文献２の接地回路は、リレーの接点を接続することにより被接地回路が接地される際に、リレーの接点に流れる電流を抑制し、しかも、リレーの接点を切断することにより被接地回路の接地が解除される際に、リレーの接点間におけるアーク放電も抑制する。
【先行技術文献】
【特許文献】
【００１５】
【特許文献１】特開平５−１２９９９１号公報
【特許文献２】特願２０１６−１０３８５１
【発明の概要】
【発明が解決しようとする課題】
【００１６】
しかしながら、特許文献２の接地回路では、被接地回路がアースに接地される際に、操作者が誤って第２のリレー接点により当該抵抗を短絡していると、第１のリレー接点に流れる電流が当該抵抗により抑制されない。又、特許文献２の接地回路では、被接地回路の接地が解除される際に、操作者が誤って第２のリレー接点により当該抵抗を短絡していないと、第１のリレー接点にアーク放電が発生する。つまり、特許文献２の接地回路には、被接地回路を接地する操作及び被接地回路の接地を解除する操作に関するフェールセーフ機能を有していないという問題がある。【００１７】
本発明は、上記の課題に鑑みてなされたもので、被接地回路を接地する操作及び被接地回路の接地を解除する操作に関するフェールセーフ機能を提供することを主たる目的とする。
【課題を解決するための手段】
【００１８】
本発明の一態様において、接地回路は、被接地回路に接続された第１のリレーの第１の接点と、第１の接点とアースとの間に接続され、第１の接点が閉成された際に第１の接点に流れる電流を抑制する抵抗と、抵抗と並列に接続された第２のリレーの第２の接点と、第２の接点が開成しているときに、閉成している第１の接点の開成を抑止する一方、第２の接点が閉成しているときに、開成している第１の接点の閉成を抑止する連動制御手段とを備える。【００１９】
本発明の一態様において、電気装置は、被接地回路、及び被接地回路に接続された第１のリレーの第１の接点と、第１の接点とアースとの間に接続され、第１の接点が閉成された際に第１の接点に流れる電流を抑制する抵抗と、抵抗と並列に接続された第２のリレーの第２の接点と、第２の接点が開成しているときに、閉成している第１の接点の開成を抑止する一方、第２の接点が閉成しているときに、開成している第１の接点の閉成を抑止する連動制御手段とを含む接地回路を備える。【００２０】
本発明の一態様において、接地制御方法は、被接地回路に接続された第１のリレーの第１の接点と、第１の接点とアースとの間に接続され、第１の接点が閉成された際に第１の接点に流れる電流を抑制する抵抗と、抵抗と並列に接続された第２のリレーの第２の接点とを備えた接地回路の接地制御方法であって、第２の接点が開成しているときに、閉成している第１の接点の開成を抑止することと、第２の接点が閉成しているときに、開成している第１の接点の閉成を抑止することとを行う。【００２１】
本発明の一態様において、接地制御プログラムは、被接地回路に接続された第１のリレーの第１の接点と、第１の接点とアースとの間に接続され、第１の接点が閉成された際に第１の接点に流れる電流を抑制する抵抗と、抵抗と並列に接続された第２のリレーの第２の接点とを含む接地回路が備えたコンピュータに、第２の接点が開成しているときに、閉成している前記第１の接点の開成を抑止する処理と、前記第２の接点が閉成しているときに、開成している前記第１の接点の閉成を抑止する処理とを実行させる。
【発明の効果】
【００２２】
本発明によれば、被接地回路を接地する操作及び被接地回路の接地を解除する操作に関するフェールセーフ機能を提供できるという効果がある。
【図面の簡単な説明】
【００２３】
【図１】本発明の第１の実施形態における接地回路の構成の一例を示すブロック図である。
【図２】本発明の第２の実施形態における接地回路の構成の一例を示す回路図である。
【図３】本発明の第３の実施形態における接地回路の構成の一例を示す回路図である。
【図４】本発明の第３の実施形態における接地回路の動作を示すフローチャートである。
【図５】本発明の第４の実施形態における接地回路の構成の一例を示す回路図である。
【図６】本発明の第４の実施形態における接地回路の動作を説明するための図である。
【発明を実施するための形態】
【００２４】
以下、本発明の実施形態について、図面を参照して詳細に説明する。尚、すべての図面において、同等の構成要素には同じ符号を付し、適宜説明を省略する。
（第１の実施形態）
本実施形態における構成について説明する。
【００２５】
図１は、本発明の第１の実施形態における接地回路の構成の一例を示すブロック図である。
【００２６】
電気装置５００は、接地回路１００と、被接地回路２００とを含む。電気装置５００は、単体の装置であってよいが、１台以上の他の装置にケーブル等を経由して接続されてもよい。後者の場合、電気装置５００は、１台以上の他の装置とケーブル等を経由して通信してもよいし、１台以上の他の装置からケーブル等を経由して給電されてもよい。電気装置５００は、センサを含み、センサにより測定されたデータを他の装置に送信してもよい。電気装置５００は、例えば、海底分岐装置、海底中継器、利得等化装置、海底地震計、津波計である。
【００２７】
接地回路１００は、被接地回路２００とアース３４０との間に接続される。
【００２８】
アース３４０は、例えば、海水に対する接地（海水接地）、又は大地に対する接地である。
【００２９】
被接地回路２００は、接地及び接地の解除を必要とする任意の電気回路である。
【００３０】
接地回路１００は、リレー１１０（ＲＬ１）と、抵抗１２０と、リレー１３０（ＲＬ２）と、連動制御部１４０とを含む。尚、以下では、「リレー」を「ＲＬ」とも称す。
【００３１】
リレー１１０は、接点１１１（ＲＬ１接点）を含む。ＲＬ１接点１１１は、被制御電流が伝導する伝導路の開閉を行うスイッチである。ＲＬ１接点１１１は、被接地回路２００に接続される。
【００３２】
抵抗１２０は、被接地回路２００がアース３４０に接地された（ＲＬ１接点１１１が閉成された）際に、ＲＬ１接点１１１に流れる電流を抑制する。抵抗１２０の一端は、アース３４０に接続される。抵抗１２０の他端は、ＲＬ１接点１１１の一端に接続される。ＲＬ１接点１１１の他端は、被接地回路２００に接続される。被接地回路２００の接地の有無は、ＲＬ１接点１１１により切り替えられる。
【００３３】
リレー１３０は、接点１３１（ＲＬ２−１接点）を含む。ＲＬ２−１接点１３１は、被制御電流が伝導する伝導路の開閉を行うスイッチである。ＲＬ２−１接点１３１は、抵抗１２０に並列に接続される。
【００３４】
図１において、ＲＬ１接点１１１及びＲＬ２−１接点１３１の、回路に接続された接点を黒丸で示すこととする。又、回路に接続されていない接点を白抜きの丸で示すこととするが、この接点は、模式的に示されたものであり、実際には存在しなくてもよい。
【００３５】
連動制御部１４０は、ＲＬ２−１接点１３１が開成しているときに、閉成しているＲＬ１接点１１１の開成を抑止する。又、連動制御部１４０は、ＲＬ２−１接点１３１が閉成しているときに、開成しているＲＬ１接点１１１の閉成を抑止する。
【００３６】
本実施形態における動作について説明する。
【００３７】
以下の説明において、接地回路１００の操作者は、電気装置５００に含まれるか又は外部の、制御手段、装置、又はプログラム等であってもよい。
【００３８】
まず、被接地回路２００を接地する場合の動作について説明する。
【００３９】
（１）まず、ＲＬ２−１接点１３１が閉成されている場合には、操作者はＲＬ２−１接点１３１を開成する。
【００４０】
（２）次に、操作者は、ＲＬ１接点１１１を閉成する操作を行う。ここで、ＲＬ２−１接点１３１は開成されているので、連動制御部１４０はＲＬ１接点１１１の閉成を抑止しない。その結果、接地回路１００は、被接地回路２００とアース３４０とを抵抗１２０を介して接続する。この時、被接地回路２００が瞬間的にアース３４０に接地されることによりＲＬ１接点１１１へ大電流が流れるが、アース３４０とＲＬ１接点１１１との間の抵抗１２０を経由して流すことにより、この電流が抑制される。
【００４１】
（３）続いて、操作者は、ＲＬ１接点１１１への大電流の流れ込みの収束に要する時間の経過後に、ＲＬ２−１接点１３１を閉成する。その結果、接地回路１００は抵抗１２０を介さずに被接地回路２００とアース３４０とを電気的に直接接続する。
【００４２】
もしも、操作者が上記（２）の操作の前に上記（１）の操作を行っていなかった場合には、ＲＬ２−１接点１３１は閉成されている。しかし連動制御部１４０は、ＲＬ２−１接点１３１が閉成しているときに、開成しているＲＬ１接点１１１の閉成を抑止する。従って、操作者が上記（２）の操作を行っても、ＲＬ１接点１１１が閉成されないので、被接地回路２００とアース３４０とは接続されない。つまり、操作者が上記（２）の操作の前に上記（１）の操作を行わなかったとしても、被接地回路２００が抵抗１２０を介さずに瞬間的にアース３４０に接地されることによりＲＬ１接点１１１に大電流が流れることはない。即ち、接地回路１００は、被接地回路２００を接地する操作に関するフェールセーフ機能を有する。
【００４３】
次に、被接地回路２００の接地を解除する場合の動作について説明する。
【００４４】
（４）まず、ＲＬ２−１接点１３１が開成されている場合には、操作者はＲＬ２−１接点１３１を閉成する。
【００４５】
（５）次に、操作者は、ＲＬ１接点１１１を開成する操作を行う。ここで、ＲＬ２−１接点１３１は閉成されているので、連動制御部１４０はＲＬ１接点１１１の開成を抑止しない。その結果、被接地回路２００の接地は解除される。この時、ＲＬ１接点１１１が高電圧であると、ＲＬ１接点１１１の開成時にＲＬ１接点１１１にアーク放電が発生する。しかしながら、ＲＬ２−１接点１３１が閉成されているので、ＲＬ１接点１１１の電圧は０Ｖであり、ＲＬ１接点１１１にアーク放電は発生しない。従って、ＲＬ１接点１１１が故障しにくい。
【００４６】
もしも、操作者が上記（５）の操作の前に上記（４）の操作を行っていなかった場合には、ＲＬ２−１接点１３１は開成されている。しかし連動制御部１４０は、ＲＬ２−１接点１３１が開成しているときに、閉成しているＲＬ１接点１１１の開成を抑止する。従って、操作者が上記（５）の操作を行っても、ＲＬ１接点１１１が開成されないので、被接地回路２００の接地は解除されない。つまり、操作者が上記（５）の操作の前に上記（４）の操作を行わなかったとしても、ＲＬ１接点１１１にアーク放電は発生しない。即ち、接地回路１００は、被接地回路２００の接地を解除する操作に関するフェールセーフ機能を有する。
【００４７】
以上説明したように、本実施形態の接地回路１００は、ＲＬ１接点１１１とアース３４０との間にある抵抗１２０と、抵抗１２０に並列に接続されたＲＬ２−１接点１３１とを有する。そして、被接地回路２００がアース３４０に接地される際には、抵抗１２０によりＲＬ１接点１１１に流れる電流が抑制される。又、被接地回路２００の接地が解除される際には、ＲＬ２−１接点１３１により抵抗１２０が短絡される。ＲＬ１接点１１１の電圧が０Ｖになるので、ＲＬ１接点１１１が開成された瞬間にＲＬ１接点１１１間に電位差が生じることがなく、ＲＬ１接点１１１にアーク放電は発生しない。つまり、本実施形態の接地回路１００は、リレーの接点を接続することにより被接地回路２００が接地される際に、リレーの接点に流れる電流を抑制し、しかも、リレーの接点を切断することにより被接地回路２００の接地が解除される際に、リレーの接点間におけるアーク放電も抑制する。
【００４８】
そして、本実施形態の接地回路１００では、連動制御部１４０は、ＲＬ２−１接点１３１が開成しているときに、閉成しているＲＬ１接点１１１の開成を抑止する。又、連動制御部１４０は、ＲＬ２−１接点１３１が閉成しているときに、開成しているＲＬ１接点１１１の閉成を抑止する。つまり、ＲＬ２−１接点１３１が閉成しているときには、開成しているＲＬ１接点１１１は閉成されないので、被接地回路２００は接地されない。又、ＲＬ２−１接点１３１が開成しているときには、閉成しているＲＬ１接点１１１は開成されないので、被接地回路２００の接地は解除されない。従って、本実施形態の接地回路１００には、被接地回路２００を接地する操作及び被接地回路２００の接地を解除する操作に関するフェールセーフ機能を有するという効果がある。
（第２の実施形態）
次に、本発明の第１の実施形態を基本とする、本発明の第２の実施形態について説明する。本実施形態の連動制御部は、リレーを用いて実現される。
【００４９】
本実施形態における構成について説明する。
【００５０】
図２は、本発明の第２の実施形態における接地回路の構成の一例を示す回路図である。
【００５１】
電気装置５０５は、接地回路１０５と、被接地回路２００とを含む。
【００５２】
接地回路１０５は、被接地回路２００とアース３４０との間に接続される。
【００５３】
接地回路１０５は、リレー１１５（ＲＬ１）と、抵抗１２０と、リレー１３５（ＲＬ２）と、リレー駆動部１６０とを含む。
【００５４】
リレー１１５は、ＲＬ１接点１１１と、ＲＬ１閉成部１１２と、ＲＬ１開成部１１３とを含む。ＲＬ１閉成部１１２は、電流が供給されると、ＲＬ１接点１１１を閉成する。ＲＬ１開成部１１３は、電流が供給されると、ＲＬ１接点１１１を開成する。ＲＬ１閉成部１１２及びＲＬ１開成部１１３は、例えば、リレーコイルである。リレー１１５は、ＲＬ１閉成部１１２及びＲＬ１開成部１１３に電流が供給されない状態において、直前に操作された、ＲＬ１接点１１１の開成又は閉成の状態（開閉状態）を保持する。即ち、リレー１１５は、ラッチングリレー（ラッチリレー）である。
【００５５】
リレー１３５は、ＲＬ２−１接点１３１と、接点１３４（ＲＬ２−２接点）とを含む。ＲＬ２−２接点１３４は、ＲＬ２−１接点１３１と連動し、ＲＬ２−１接点１３１における被制御電流とは別の被制御電流が伝導する伝導路の開閉を行うスイッチである。
【００５６】
図２において、ＲＬ２−２接点１３４はＲＬ２−１接点１３１と連動するので、ＲＬ２−１接点１３１が閉成した際に接続される、ＲＬ２−２接点１３４の接点を黒丸で示すこととする。又、ＲＬ２−１接点１３１が開成した際に接続される、ＲＬ２−２接点１３４の接点を白抜きの丸で示すこととする。
【００５７】
ＲＬ１開成部１１３は、ＲＬ１閉成部１１２に直列に接続される。ＲＬ２−２接点１３４は、ＲＬ２−１接点１３１が開成しているときにはＲＬ１開成部１１３を短絡する。ＲＬ２−２接点１３４は、ＲＬ２−１接点１３１が閉成しているときにはＲＬ１閉成部１１２を短絡する。
【００５８】
リレー駆動部１６０は、ＲＬ１閉成部１１２とＲＬ１開成部１１３とが直列に接続された回路に対する電流の供給及び停止を行う。尚、図２では、リレー駆動部１６０の上述した機能を、電源及びプッシュスイッチにより模式的に示している。リレー駆動部１６０は、実際には、電源又はプッシュスイッチを含まなくてもよい。
【００５９】
本実施形態におけるその他の構成は、本発明の第１の実施形態における構成と同じである。
【００６０】
本実施形態における動作について説明する。
【００６１】
まず、被接地回路２００を接地する場合の動作について説明する。
【００６２】
（１）まず、ＲＬ２−１接点１３１が閉成されている場合には、操作者は、ＲＬ２−１接点１３１を開成する。その結果、ＲＬ２−２接点１３４は、ＲＬ２−１接点１３１の開成と連動するので、ＲＬ１開成部１１３を短絡する。
【００６３】
（２）次に、操作者は、ＲＬ１接点１１１を閉成する操作を行う。ここで、ＲＬ２−２接点１３４によりＲＬ１開成部１１３が短絡されているので、ＲＬ１閉成部１１２に電流が供給される。その結果、接地回路１０５は、ＲＬ１接点１１１を閉成することにより、被接地回路２００とアース３４０とを抵抗１２０を介して接続する。この時、被接地回路２００が瞬間的にアース３４０に接地されることによりＲＬ１接点１１１へ大電流が流れるが、アース３４０とＲＬ１接点１１１との間の抵抗１２０を経由して流すことにより、この電流が抑制される。
【００６４】
（３）続いて、操作者は、ＲＬ１接点１１１への大電流の流れ込みの収束に要する時間の経過後に、ＲＬ２−１接点１３１を閉成する。その結果、接地回路１０５は抵抗１２０を介さずに被接地回路２００とアース３４０とを電気的に直接接続する。
【００６５】
もしも、操作者が上記（２）の操作の前に上記（１）の操作を行っていなかった場合には、ＲＬ２−１接点１３１は閉成されている。しかしＲＬ２−１接点１３１と連動するＲＬ２−２接点１３４により、ＲＬ１閉成部１１２が短絡される。従って、操作者が上記（２）の操作を行っても、ＲＬ１閉成部１１２に電流が供給されない。その結果、ＲＬ１接点１１１が閉成されないので、被接地回路２００とアース３４０とは接続されない。つまり、操作者が上記（２）の操作の前に上記（１）の操作を行わなかったとしても、被接地回路２００が抵抗１２０を介さずに瞬間的にアース３４０に接地されることによりＲＬ１接点１１１に大電流が流れることはない。ＲＬ２−２接点１３４がない場合、例えば操作者の誤操作、プログラムのミス等によってＲＬ２−１接点１３１が開成されずにＲＬ１接点１１１が閉成されてしまうと、この２つの接点に過剰な電流が流れ、接点が故障する恐れがある。しかしＲＬ２−１接点１３１と連動するＲＬ２−２接点１３４があると過剰電流を防止できる。即ち、接地回路１０５は、被接地回路２００を接地する操作に関するフェールセーフ機能を有する。
【００６６】
次に、被接地回路２００の接地を解除する場合の動作について説明する。
【００６７】
（４）まず、何らかの理由でＲＬ２−１接点１３１が開成されている場合には、操作者は、ＲＬ２−１接点１３１を閉成する。その結果、ＲＬ２−２接点１３４は、ＲＬ２−１接点１３１の開成と連動するので、ＲＬ１閉成部１１２を短絡する。
【００６８】
（５）次に、操作者は、ＲＬ１接点１１１を開成する操作を行う。ここで、ＲＬ２−２接点１３４によりＲＬ１閉成部１１２が短絡されているので、ＲＬ１開成部１１３に電流が供給される。その結果、接地回路１０５はＲＬ１接点１１１を開成し、被接地回路２００の接地は解除される。この時、ＲＬ１接点１１１が高電圧であると、ＲＬ１接点１１１の開成時にＲＬ１接点１１１にアーク放電が発生する。しかしながら、ＲＬ２−１接点１３１が閉成されているので、ＲＬ１接点１１１の電圧は０Ｖであり、ＲＬ１接点１１１にアーク放電は発生しない。従って、ＲＬ１接点１１１が故障しにくい。
【００６９】
もしも、操作者が上記（５）の操作の前に上記（４）の操作を行っていなかった場合には、ＲＬ２−１接点１３１は開成されている。しかしＲＬ２−１接点１３１と連動するＲＬ２−２接点１３４により、ＲＬ１開成部１１３が短絡される。従って、操作者が上記（５）の操作を行っても、ＲＬ１開成部１１３に電流が供給されない。その結果、ＲＬ１接点１１１が開成されないので、被接地回路２００の接地は解除されない。つまり、操作者が上記（５）の操作の前に上記（４）の操作を行わなかったとしても、ＲＬ１接点１１１にアーク放電は発生しない。即ち、接地回路１０５は、被接地回路２００の接地を解除する操作に関するフェールセーフ機能を有する。
【００７０】
以上説明したように、本実施形態の接地回路１０５は、ＲＬ１接点１１１とアース３４０との間にある抵抗１２０と、抵抗１２０に並列に接続されたＲＬ２−１接点１３１とを有する。そして、被接地回路２００がアース３４０に接地される際には、抵抗１２０によりＲＬ１接点１１１に流れる電流が抑制される。又、被接地回路２００の接地が解除される際には、ＲＬ２−１接点１３１により抵抗１２０が短絡される。ＲＬ１接点１１１の電圧が０Ｖになるので、ＲＬ１接点１１１が開成された瞬間にＲＬ１接点１１１間に電位差が生じることがなく、ＲＬ１接点１１１にアーク放電は発生しない。つまり、本実施形態の接地回路１０５は、リレーの接点を接続することにより被接地回路２００が接地される際に、リレーの接点に流れる電流を抑制し、しかも、リレーの接点を切断することにより被接地回路２００の接地が解除される際に、リレーの接点間におけるアーク放電も抑制する。
【００７１】
そして、本実施形態の接地回路１０５では、ＲＬ１開成部１１３は、ＲＬ１閉成部１１２に直列に接続される。そして、ＲＬ２−２接点１３４は、ＲＬ２−１接点１３１が開成しているときにはＲＬ１開成部１１３を短絡する。一方、ＲＬ２−２接点１３４は、ＲＬ２−１接点１３１が閉成しているときにはＲＬ１閉成部１１２を短絡する。つまり、ＲＬ２−１接点１３１が閉成しているときには、ＲＬ１接点１１１は閉成されないので、被接地回路２００は接地されない。又、ＲＬ２−１接点１３１が開成しているときには、ＲＬ１接点１１１は開成されないので、被接地回路２００の接地は解除されない。従って、本実施形態の接地回路１０５には、被接地回路２００を接地する操作及び被接地回路２００の接地を解除する操作に関するフェールセーフ機能を有するという効果がある。
（第３の実施形態）
次に、本発明の第２の実施形態を基本とする、本発明の第３の実施形態について説明する。本実施形態のリレー駆動部は、ＲＬ２の開閉状態を制御する。
【００７２】
本実施形態における構成について説明する。
【００７３】
図３は、本発明の第３の実施形態における接地回路の構成の一例を示す回路図である。
【００７４】
電気装置５０６は、接地回路１０６と、被接地回路２００とを含む。
【００７５】
接地回路１０６は、被接地回路２００とアース３４０との間に接続される。
【００７６】
接地回路１０６は、リレー１１５と、抵抗１２０と、リレー１３６と、リレー駆動部１６６とを含む。接地回路１０６は、制御手段１５０を更に含んでもよい。
【００７７】
リレー１３６は、ＲＬ２−１接点１３１と、ＲＬ２−２接点１３４と、ＲＬ２閉成部１３２と、ＲＬ２開成部１３３とを含む。ＲＬ２閉成部１３２は、電流が供給されると、ＲＬ２−１接点１３１を閉成すると共に、ＲＬ１閉成部１１２を短絡する（「ＲＬ２−２接点１３４を閉成する」とも称することとする）。ＲＬ２開成部１３３は、電流が供給されると、ＲＬ１接点１１１を開成すると共に、ＲＬ１開成部１１３を短絡する（「ＲＬ２−２接点１３４を開成する」とも称することとする）。ＲＬ２閉成部１３２及びＲＬ２開成部１３３は、例えば、リレーコイルである。リレー１３６は、ＲＬ２閉成部１３２及びＲＬ２開成部１３３に電流が供給されない状態において、直前に操作された、ＲＬ２−１接点１３１及びＲＬ２−２接点１３４の開閉状態を保持する。即ち、リレー１３６は、ラッチングリレーである。
【００７８】
リレー駆動部１６６は、ＲＬ１閉成部１１２とＲＬ１開成部１１３とが直列に接続された回路に対する電流の供給及び停止を行う。又、リレー駆動部１６６は、ＲＬ２閉成部１３２に対する電流の供給及び停止を行う。又、リレー駆動部１６６は、ＲＬ２開成部１３３に対する電流の供給及び停止を行う。尚、図３では、リレー駆動部１６６の上述した機能を、電源及びプッシュスイッチにより模式的に示している。リレー駆動部１６６は、実際には、電源又はプッシュスイッチを含まなくてもよい。リレー駆動部１６６が電気装置５０６の内部又は外部に設けられた制御手段１５０により制御されるようにしてもよい。
【００７９】
制御手段１５０は、制御信号に基づいて、リレー駆動部１６６を介して、ＲＬ１接点１１１及びＲＬ２−１接点１３１の開閉を制御する。制御信号は、被接地回路２００から受信してもよいし、被接地回路２００を経由して他の装置から受信してもよい。
【００８０】
本実施形態におけるその他の構成は、本発明の第２の実施形態における構成と同じである。
【００８１】
本実施形態における動作について説明する。
【００８２】
図４は、本発明の第３の実施形態における接地回路の動作を示すフローチャートである。具体的には、図４（Ａ）は操作者が被接地回路２００を接地する際の動作を、図４（Ｂ）は操作者が被接地回路２００の接地を解除する際の動作を示す。ここで、操作者は、リレー駆動部１６６を介して、接地回路１０６を操作することとする。又、操作者は、接地回路１０６に含まれるか又は外部の、制御手段、装置、又はプログラム等であってもよい。尚、図４に示すフローチャート及び以下の説明は一例であり、適宜求める処理に応じて、処理順等を入れ替えたり、処理を戻したり、又は処理を繰り返したりしてもよい。
【００８３】
まず、被接地回路２００を接地する場合の動作について説明する。
【００８４】
（１）まず、操作者は、リレー駆動部１６６を介して、ＲＬ２開成部１３３に対する電流を供給する（ステップＳ１１０）。その結果、接地回路１０６は、ＲＬ２−１接点１３１を開成すると共に、ＲＬ２−２接点１３４によりＲＬ１開成部１１３を短絡する。
【００８５】
（２）次に、操作者は、リレー駆動部１６６を介して、ＲＬ１閉成部１１２とＲＬ１開成部１１３とが直列に接続された回路に対する電流を供給する（ステップＳ１２０）。ここで、ＲＬ２−２接点１３４によりＲＬ１開成部１１３が短絡されているので、ＲＬ１閉成部１１２に電流が供給される。その結果、接地回路１０６は、ＲＬ１接点１１１を閉成することにより、被接地回路２００とアース３４０とを抵抗１２０を介して接続する。この時、被接地回路２００が瞬間的にアース３４０に接地されることによりＲＬ１接点１１１へ大電流が流れるが、アース３４０とＲＬ１接点１１１との間の抵抗１２０を経由して流すことにより、この電流が抑制される。
【００８６】
（３）続いて、操作者は、ＲＬ１接点１１１への大電流の流れ込みの収束に要する時間の経過後に、リレー駆動部１６６を介して、ＲＬ２閉成部１３２に対する電流を供給する（ステップＳ１３０）。するとＲＬ２−１接点１３１が閉成し、接地回路１０６は抵抗１２０を介さずに被接地回路２００とアース３４０とを電気的に直接接続する。
【００８７】
もしも、操作者が上記（２）の操作の前に上記（１）の操作を行っていなかった場合には、ＲＬ２−１接点１３１は閉成されている。しかしＲＬ２−１接点１３１と連動するＲＬ２−２接点１３４により、ＲＬ１閉成部１１２が短絡される。従って、操作者が上記（２）の操作を行っても、ＲＬ１閉成部１１２に電流が供給されない。その結果、ＲＬ１接点１１１が閉成されないので、被接地回路２００とアース３４０とは接続されない。つまり、操作者が上記（２）の操作の前に上記（１）の操作を行わなかったとしても、被接地回路２００が抵抗１２０を介さずに瞬間的にアース３４０に接地されることによりＲＬ１接点１１１に大電流が流れることはない。ＲＬ２−２接点１３４がない場合、例えば操作者の誤操作、プログラムのミス等によってＲＬ２−１接点１３１が開成されずにＲＬ１接点１１１が閉成されてしまうと、この２つの接点に過剰な電流が流れ、接点が故障する恐れがある。しかしＲＬ２−１接点１３１と連動するＲＬ２−２接点１３４があると過剰電流を防止できる。即ち、接地回路１０６は、被接地回路２００を接地する操作に関するフェールセーフ機能を有する。
【００８８】
次に、被接地回路２００の接地を解除する場合の動作について説明する。
【００８９】
（４）まず、何らかの理由でＲＬ２−１接点１３１が開成されている場合には、操作者は、リレー駆動部１６６を介して、ＲＬ２閉成部１３２に対する電流を供給する（ステップＳ２１０）。その結果、接地回路１０６は、ＲＬ２−１接点１３１を閉成することにより抵抗１２０を短絡すると共に、ＲＬ２−２接点１３４によりＲＬ１閉成部１１２を短絡する。
【００９０】
（５）次に、操作者は、リレー駆動部１６６を介して、ＲＬ１閉成部１１２とＲＬ１開成部１１３とが直列に接続された回路に対する電流を供給する（ステップＳ２２０）。ここで、ＲＬ２−２接点１３４によりＲＬ１閉成部１１２が短絡されているので、ＲＬ１開成部１１３に電流が供給される。その結果、接地回路１０６はＲＬ１接点１１１を開成し、被接地回路２００の接地は解除される。この時、ＲＬ１接点１１１が高電圧であると、ＲＬ１接点１１１の開成時にＲＬ１接点１１１にアーク放電が発生する。しかしながら、ＲＬ２−１接点１３１が閉成されているので、ＲＬ１接点１１１の電圧は０Ｖであり、ＲＬ１接点１１１にアーク放電は発生しない。従って、ＲＬ１接点１１１が故障しにくい。
【００９１】
もしも、操作者が上記（５）の操作の前に上記（４）の操作を行っていなかった場合には、ＲＬ２−１接点１３１は開成されている。しかしＲＬ２−１接点１３１と連動するＲＬ２−２接点１３４により、ＲＬ１開成部１１３が短絡される。従って、操作者が上記（５）の操作を行っても、ＲＬ１開成部１１３に電流が供給されない。その結果、ＲＬ１接点１１１が開成されないので、被接地回路２００の接地は解除されない。つまり、操作者が上記（５）の操作の前に上記（４）の操作を行わなかったとしても、ＲＬ１接点１１１にアーク放電は発生しない。即ち、接地回路１０６は、被接地回路２００の接地を解除する操作に関するフェールセーフ機能を有する。
【００９２】
以上説明したように、本実施形態の接地回路１０６は、ＲＬ１接点１１１とアース３４０との間にある抵抗１２０と、抵抗１２０に並列に接続されたＲＬ２−１接点１３１とを有する。そして、被接地回路２００がアース３４０に接地される際には、抵抗１２０によりＲＬ１接点１１１に流れる電流が抑制される。又、被接地回路２００の接地が解除される際には、ＲＬ２−１接点１３１により抵抗１２０が短絡される。ＲＬ１接点１１１の電圧が０Ｖになるので、ＲＬ１接点１１１が開成された瞬間にＲＬ１接点１１１間に電位差が生じることがなく、ＲＬ１接点１１１にアーク放電は発生しない。つまり、本実施形態の接地回路１０６は、リレーの接点を接続することにより被接地回路２００が接地される際に、リレーの接点に流れる電流を抑制し、しかも、リレーの接点を切断することにより被接地回路２００の接地が解除される際に、リレーの接点間におけるアーク放電も抑制する。
【００９３】
そして、本実施形態の接地回路１０６では、ＲＬ１開成部１１３は、ＲＬ１閉成部１１２に直列に接続される。そして、ＲＬ２−２接点１３４は、ＲＬ２−１接点１３１が開成しているときにはＲＬ１開成部１１３を短絡する。一方、ＲＬ２−２接点１３４は、ＲＬ２−１接点１３１が閉成しているときにはＲＬ１閉成部１１２を短絡する。つまり、ＲＬ２−１接点１３１が閉成しているときには、ＲＬ１接点１１１は閉成されないので、被接地回路２００は接地されない。又、ＲＬ２−１接点１３１が開成しているときには、ＲＬ１接点１１１は開成されないので、被接地回路２００の接地は解除されない。従って、本実施形態の接地回路１０６には、被接地回路２００を接地する操作及び被接地回路２００の接地を解除する操作に関するフェールセーフ機能を有するという効果がある。
（第４の実施形態）
次に、本発明の第３の実施形態を基本とする、本発明の第４の実施形態について説明する。本実施形態では、電気装置は海底分岐装置であり、アースは海水接地である。
【００９４】
本実施形態における構成について説明する。
【００９５】
図５は、本発明の第４の実施形態における接地回路の構成の一例を示す回路図である。
【００９６】
海底分岐装置５０７は、接地回路１０７と、被接地回路２０７とを含む。
【００９７】
接地回路１０７は、被接地回路２０７と海水接地３４７との間に接続される。
【００９８】
被接地回路２０７は、端局Ａ、端局Ｂ、端局Ｃに、ケーブルを経由して接続される。被接地回路２０７は、端局Ａ、端局Ｂ、又は端局Ｃから給電される。接地回路１０７は、リレー１１５（ＲＬ１）と、抵抗１２０と、リレー１３６（ＲＬ２）と、リレー駆動部１６６とを含む。
【００９９】
リレー１１５及びリレー１３６は、例えば、真空リレー又はガス封入リレーである。
【０１００】
制御手段１５０は、例えば、端局に接続されたケーブルを介して端局から受信した制御信号に基づいて、リレー駆動部１６６を介して、ＲＬ１接点１１１及びＲＬ２−１接点１３１の開閉を制御する。制御信号は、被接地回路２０７から受信してもよいし、被接地回路２０７を経由して他の装置から受信してもよい。制御信号には、被接地回路２０７又は他の装置から受信した制御信号が使用されてよいが（以下、「遠隔制御型」という）、被接地回路２０７又は他の装置からの給電電流が使用されてもよい（以下、「給電電流制御型」という）。
【０１０１】
本実施形態におけるその他の構成は、本発明の第３の実施形態における構成と同じである。
【０１０２】
本実施形態における動作について説明する。
【０１０３】
図６は、本発明の第４の実施形態における接地回路１０７の動作を説明するための図である。具体的には、図６（Ａ）は被接地回路２０７の接地開始直前の状態を、図６（Ｂ）は被接地回路２０７の接地解除開始直前の状態を示す。
【０１０４】
まず、被接地回路２０７を接地する場合の動作について説明する。ここで、操作者は、リレー駆動部１６６を介して、接地回路１０７を操作することとする。又、操作者は、接地回路１０７に含まれるか又は外部の、制御手段、装置、又はプログラム等であってもよ
い。
【０１０５】
（１）まず、操作者は、リレー駆動部１６６を介して、ＲＬ２開成部１３３に対する電流を供給する。その結果、接地回路１０７は、ＲＬ２−１接点１３１を開成すると共に、ＲＬ２−２接点１３４によりＲＬ１開成部１１３を短絡する。
【０１０６】
（２）次に、操作者は、リレー駆動部１６６を介して、ＲＬ１閉成部１１２とＲＬ１開成部１１３とが直列に接続された回路に対する電流を供給する。ここで、ＲＬ２−２接点１３４によりＲＬ１開成部１１３が短絡されているので、ＲＬ１閉成部１１２に電流が供給される。その結果、接地回路１０７は、ＲＬ１接点１１１を閉成することにより、被接地回路２０７と海水接地３４７とを抵抗１２０を介して接続する。この時、被接地回路２０７が瞬間的に海水接地３４７に接地されることによりＲＬ１接点１１１に大電流が流れるが、海水接地３４７とＲＬ１接点１１１との間の抵抗１２０を経由して流すことにより、この電流が抑制される。
【０１０７】
（３）続いて、操作者は、ＲＬ１接点１１１への大電流の流れ込みが収束した後に、リレー駆動部１６６を介して、ＲＬ２閉成部１３２に対する電流を供給する。するとＲＬ２−１接点１３１が閉成し、接地回路１０７は抵抗１２０を介さずに被接地回路２０７と海水接地３４７とを電気的に直接接続する。
【０１０８】
もしも、操作者が上記（２）の操作の前に上記（１）の操作を行っていなかった場合には、ＲＬ２−１接点１３１は閉成されている。ここで、ＲＬ２−１接点１３１と連動するＲＬ２−２接点１３４により、ＲＬ１閉成部１１２が短絡されている。従って、操作者が上記（２）の操作を行っても、ＲＬ１閉成部１１２に電流が供給されない。その結果、ＲＬ１接点１１１が閉成されないので、被接地回路２０７と海水接地３４７とは接続されない。つまり、操作者が上記（２）の操作の前に上記（１）の操作を行わなかったとしても、被接地回路２０７が抵抗１２０を介さずに瞬間的に海水接地３４７に接地されることによりＲＬ１接点１１１に大電流が流れることはない。ＲＬ２−２接点１３４がない場合、例えば操作者の誤操作、プログラムのミス等によってＲＬ２−１接点１３１が開成されずにＲＬ１接点１１１が閉成されてしまうと、この２つの接点に過剰な電流が流れ、接点が故障する恐れがある。しかしＲＬ２−１接点１３１と連動するＲＬ２−２接点１３４があると過剰電流を防止できる。即ち、接地回路１０７は、被接地回路２０７を接地する操作に関するフェールセーフ機能を有する。
【０１０９】
次に、被接地回路２０７の接地を解除する場合の動作について説明する。
【０１１０】
（４）まず、何らかの理由でＲＬ２−１接点１３１が開成されている場合には、操作者は、リレー駆動部１６６を介して、ＲＬ２閉成部１３２に対する電流を供給する。その結果、接地回路１０７は、ＲＬ２−１接点１３１を閉成することにより抵抗１２０を短絡すると共に、ＲＬ２−２接点１３４によりＲＬ１閉成部１１２を短絡する。
【０１１１】
（５）次に、操作者は、リレー駆動部１６６を介して、ＲＬ１閉成部１１２とＲＬ１開成部１１３とが直列に接続された回路に対する電流を供給する。ここで、ＲＬ２−２接点１３４によりＲＬ１閉成部１１２が短絡されているので、ＲＬ１開成部１１３に電流が供給される。その結果、接地回路１０７はＲＬ１接点１１１を開成し、被接地回路２０７の接地は解除される。この時、ＲＬ１接点１１１が高電圧であると、ＲＬ１接点１１１の開成時にＲＬ１接点１１１にアーク放電が発生する。しかしながら、ＲＬ２−１接点１３１が閉成されているので、ＲＬ１接点１１１の電圧は０Ｖであり、ＲＬ１接点１１１にアーク放電は発生しない。従って、ＲＬ１接点１１１が故障しにくい。
【０１１２】
もしも、操作者が上記（５）の操作の前に上記（４）の操作を行っていなかった場合には、ＲＬ２−１接点１３１は開成されている。ここで、ＲＬ２−１接点１３１と連動するＲＬ２−２接点１３４により、ＲＬ１開成部１１３が短絡されている。従って、操作者が上記（５）の操作を行っても、ＲＬ１開成部１１３に電流が供給されない。その結果、ＲＬ１接点１１１が開成されないので、被接地回路２０７の接地は解除されない。つまり、操作者が上記（５）の操作の前に上記（４）の操作を行わなかったとしても、ＲＬ１接点１１１にアーク放電は発生しない。即ち、接地回路１０７は、被接地回路２０７の接地を解除する操作に関するフェールセーフ機能を有する。
【０１１３】
以上説明したように、本実施形態の接地回路１０７は、ＲＬ１接点１１１と海水接地３４７との間にある抵抗１２０と、抵抗１２０に並列に接続されたＲＬ２−１接点１３１とを有する。そして、被接地回路２０７が海水接地３４７に接地される際には、抵抗１２０によりＲＬ１接点１１１に流れる電流が抑制される。又、被接地回路２０７の接地が解除される際には、ＲＬ２−１接点１３１により抵抗１２０が短絡される。ＲＬ１接点１１１の電圧が０Ｖになるので、ＲＬ１接点１１１が開成された瞬間にＲＬ１接点１１１間に電位差が生じることがなく、ＲＬ１接点１１１にアーク放電は発生しない。つまり、本実施形態の接地回路１０７は、リレーの接点を接続することにより被接地回路２０７が接地される際に、リレーの接点に流れる電流を抑制し、しかも、リレーの接点を切断することにより被接地回路２０７の接地が解除される際に、リレーの接点間におけるアーク放電も抑制する。
【０１１４】
そして、本実施形態の接地回路１０７では、ＲＬ１開成部１１３は、ＲＬ１閉成部１１２に直列に接続される。そして、ＲＬ２−２接点１３４は、ＲＬ２−１接点１３１が開成しているときにはＲＬ１開成部１１３を短絡する。一方、ＲＬ２−２接点１３４は、ＲＬ２−１接点１３１が閉成しているときにはＲＬ１閉成部１１２を短絡する。つまり、ＲＬ２−１接点１３１が閉成しているときには、ＲＬ１接点１１１は閉成されないので、被接地回路２０７は接地されない。又、ＲＬ２−１接点１３１が開成しているときには、ＲＬ１接点１１１は開成されないので、被接地回路２０７の接地は解除されない。従って、本実施形態の接地回路１０７には、被接地回路２０７を接地する操作及び被接地回路２０７の接地を解除する操作に関するフェールセーフ機能を有するという効果がある。
【０１１５】
又、前述のように、制御手段１５０は、給電電流制御型であってもよいし、遠隔制御型であってもよい。給電電流制御型の制御手段１５０では制御信号は給電電流に限定されるので、被接地回路２０７及び接地回路１０７が複数（特に４台以上）の外部の装置から給電される場合に、給電電流制御型の制御手段１５０を実現することは容易ではない。しかしながら、遠隔制御型の制御手段１５０では自由に制御信号を定義できるので、被接地回路２０７及び接地回路１０７が複数の外部の装置から給電される場合に、遠隔制御型の制御手段１５０を実現することは容易である。従って、接地回路１０７が遠隔制御型の制御手段１５０を含む場合には、本実施形態の接地回路１０７には、被接地回路２０７及び接地回路１０７が複数の外部の装置から給電される場合に、遠隔制御型の制御手段１５０を実現し易いという効果がある。
【０１１６】
又、上述した本発明の各実施形態の接地回路は、専用の装置によって実現してもよいが、コンピュータ（情報処理装置）によっても実現可能である。この場合、係るコンピュータは、メモリ（図示せず）に格納されたソフトウェア・プログラムをＣＰＵ（Central Processing Unit、図示せず）に読み出し、読み出したソフトウェア・プログラムをＣＰＵにおいて実行することにより、実行結果を、例えば、ユーザ・インタフェースに出力する。上述した各実施形態の場合、係るソフトウェア・プログラムには、上述したところの、図１に示した接地回路１００の連動制御部１４０の機能、図３に示した接地回路１０６の制御手段１５０の機能等を実現可能な記述がなされていればよい。ただし、接地回路１０６の制御手段１５０には、適宜ハードウェアを含むことも想定される。そして、このような場合、係るソフトウェア・プログラム（コンピュータ・プログラム）は、本発明を構成すると捉えることができる。更に、係るソフトウェア・プログラムを格納した、コンピュータ読み取り可能な記憶媒体も、本発明を構成すると捉えることができる。
【０１１７】
以上、本発明を、上述した各実施形態及びその変形例によって例示的に説明した。しかしながら、本発明の技術的範囲は、上述した各実施形態及びその変形例に記載した範囲に限定されない。当業者には、係る実施形態に対して多様な変更又は改良を加えることが可能であることは明らかである。そのような場合、係る変更又は改良を加えた新たな実施形態も、本発明の技術的範囲に含まれ得る。そしてこのことは、請求の範囲に記載した事項から明らかである。
【０１１８】
この出願は、２０１７年８月７日に出願された日本出願特願２０１７−１５２６５６を基礎とする優先権を主張し、その開示の全てをここに取り込む。
【産業上の利用可能性】
【０１１９】
本発明は、接地の有無を切り替える機能を有する電気装置において、接地の有無を切り替えるためのリレーの接点における故障を低減する用途において利用できる。本発明は、例えば、海底分岐装置、海底中継器、利得等化装置、海底地震計、津波計における接地制御の用途において利用できる。
【符号の説明】
【０１２０】
１００、１０５、１０６、１０７  接地回路
１１０、１３０、１１５、１３５、１３６  リレー
１１１、１３１、１３４  接点
１１２、１３２  閉成部
１１３、１３３  開成部
１２０  抵抗
１４０  連動制御部
１５０  制御手段
１６０、１６６  リレー駆動部
２００、２０７  被接地回路
３４０  アース
３４７  海水接地
５００、５０５、５０６  電気装置
５０７  海底分岐装置
【図１】
2019031415.tif 000003
【図２】
2019031415.tif 000004
【図３】
2019031415.tif 000005
【図４】
2019031415.tif 000006
【図５】
2019031415.tif 000007
【図６】
2019031415.tif 000008
【手続補正書】
【提出日】令和1年12月18日(2019.12.18)
【手続補正１】
【補正対象書類名】明細書
【補正対象項目名】００７７
【補正方法】変更
【補正の内容】
【００７７】
リレー１３６は、ＲＬ２−１接点１３１と、ＲＬ２−２接点１３４と、ＲＬ２閉成部１３２と、ＲＬ２開成部１３３とを含む。ＲＬ２閉成部１３２は、電流が供給されると、ＲＬ２−１接点１３１を閉成すると共に、ＲＬ１閉成部１１２を短絡する（「ＲＬ２−２接点１３４を閉成する」とも称することとする）。ＲＬ２開成部１３３は、電流が供給されると、ＲＬ２−１接点１３１を開成すると共に、ＲＬ１開成部１１３を短絡する（「ＲＬ２−２接点１３４を開成する」とも称することとする）。ＲＬ２閉成部１３２及びＲＬ２開成部１３３は、例えば、リレーコイルである。リレー１３６は、ＲＬ２閉成部１３２及びＲＬ２開成部１３３に電流が供給されない状態において、直前に操作された、ＲＬ２−１接点１３１及びＲＬ２−２接点１３４の開閉状態を保持する。即ち、リレー１３６は、ラッチングリレーである。
【手続補正２】
【補正対象書類名】特許請求の範囲
【補正対象項目名】全文
【補正方法】変更
【補正の内容】
【特許請求の範囲】
【請求項１】
被接地回路に接続された第１のリレーの第１の接点と、
前記第１の接点とアースとの間に接続され、前記第１の接点が閉成された際に前記第１の接点に流れる電流を抑制する抵抗と、
前記抵抗と並列に接続された第２のリレーの第２の接点と、
前記第２の接点が開成しているときに、閉成している前記第１の接点の開成を抑止する一方、前記第２の接点が閉成しているときに、開成している前記第１の接点の閉成を抑止する連動制御手段と
を備えた接地回路。
【請求項２】
前記第１の接点は開閉状態を保持し、
前記第２の接点は開閉状態を保持し、
前記連動制御手段は、
前記第１の接点を閉成する、前記第１のリレーの第１の閉成部と、
前記第１の閉成部に直列に接続された、前記第１の接点を開成する、前記第１のリレーの第１の開成部と、
前記第２の接点と連動し、前記第２の接点が開成しているときには前記第１の開成部を短絡する一方、前記第２の接点が閉成しているときには前記第１の閉成部を短絡する、前記第２のリレーの第３の接点と
を更に備えた請求項１に記載の接地回路。
【請求項３】
前記連動制御手段は、
前記第２の接点を閉成する、前記第２のリレーの第２の閉成部と、
前記第２の接点を開成する、前記第２のリレーの第２の開成部と、
前記第１の閉成部と前記第１の開成部とが直列に接続された回路に対する電流の供給及び停止、前記第２の閉成部に対する電流の供給及び停止、並びに前記第２の開成部に対する電流の供給及び停止を行うリレー駆動手段と
を更に備えた請求項２に記載の接地回路。
【請求項４】
前記被接地回路は、端局にケーブルで接続され、前記ケーブルを介して前記端局から受信された制御信号に基づいて、前記第１の接点及び前記第２の接点の開閉が制御される請求項１乃至３の何れか１項に
記載の接地回路。
【請求項５】
前記ケーブルを介して前記端局から給電される
請求項４に記載の接地回路。
【請求項６】
前記アースは、海水に対して接地された
請求項１乃至５のいずれか１項に記載の接地回路。
【請求項７】
前記第１のリレー及び前記第２のリレーは、真空リレー又はガス封入リレーである
請求項１乃至６のいずれか１項に記載の接地回路。
【請求項８】
被接地回路、及び
前記被接地回路に接続された、第１のリレーの第１の接点と、
前記第１の接点とアースとの間に接続され、前記第１の接点が閉成された際に前記第１の接点に流れる電流を抑制する抵抗と、
前記抵抗と並列に接続された、第２のリレーの第２の接点と、
前記第２の接点が開成しているときに、閉成している前記第１の接点の開成を抑止する一方、前記第２の接点が閉成しているときに、開成している前記第１の接点の閉成を抑止する連動制御手段と
を含む接地回路
を備えた電気装置。
【請求項９】
被接地回路に接続された、第１のリレーの第１の接点と、
前記第１の接点とアースとの間に接続され、前記第１の接点が閉成された際に前記第１の接点に流れる電流を抑制する抵抗と、
前記抵抗と並列に接続された、第２のリレーの第２の接点と
を備えた接地回路の接地制御方法であって、
前記第２の接点が開成しているときに、閉成している前記第１の接点の開成を抑止することと、前記第２の接点が閉成しているときに、開成している前記第１の接点の閉成を抑止することとを行う
接地制御方法。
【請求項１０】
被接地回路に接続された、第１のリレーの第１の接点と、
前記第１の接点とアースとの間に接続され、前記第１の接点が閉成された際に前記第１の接点に流れる電流を抑制する抵抗と、
前記抵抗と並列に接続された、第２のリレーの第２の接点と
を含む接地回路が備えたコンピュータに、
前記第２の接点が開成しているときに、閉成している前記第１の接点の開成を抑止する処理と、前記第２の接点が閉成しているときに、開成している前記第１の接点の閉成を抑止する処理と
を実行させる接地制御プログラム。
【国際調査報告】
2019031415.tif 000009
2019031415.tif 000010